(57)【要約】【課題】  カメラで撮影する場合に、簡易に撮影時の環境情報を記録することができる環境情報取得装置及びその制御方法を提供する。【解決手段】  環境情報取得装置１は、吸盤によってカメラの防水ケースの外部に取付可能に構成されると共に、カメラのフラッシュ光を検出する光取込部を有し、この光取込部によってフラッシュ光を検出する毎に、内蔵する圧力センサ及び温度センサの検出結果に基づいて計算した水深及び水温を示す環境情報を内部のメモリに記録する。【選択図】      図１
2005062536.tif 000002
【特許請求の範囲】
【請求項１】
環境情報を取得する環境情報取得手段と、
前記環境情報が記録される記録手段と、
カメラの撮影動作を非接触で検出する撮影動作検出手段と、
この撮影動作検出手段により撮影動作が検出されると、前記環境情報取得手段が取得した環境情報を前記記録手段に記録する記録制御手段と
を備えることを特徴とする環境情報取得装置。
【請求項２】
前記環境情報取得装置を前記カメラの防水ケースの外部に取り付けるための取付体を有することを特徴とする請求項１に記載の環境情報取得装置。
【請求項３】
前記取付体は、吸盤であることを特徴とする請求項２に記載の環境情報取得装置。
【請求項４】
前記吸盤には、前記カメラの撮影動作に起因するフラッシュ光を前記撮影動作検出手段に導くための導光路が設けられ、
前記撮影動作検出手段は、前記フラッシュ光を検出することを特徴とする請求項３に記載の環境情報取得装置。
【請求項５】
前記記録制御手段は、前記環境情報取得手段が所定時間毎に取得した環境情報を前記記録手段の予め定めた第１の領域に記録し、
前記撮影動作検出手段により撮影動作が検出された時の前記環境情報については、前記記録手段の前記第１の領域とは異なる予め定めた第２の領域に記録することを特徴とする請求項１乃至４のいずれかに記載の環境情報取得装置。
【請求項６】
時刻を計時する計時手段を具備し、
前記記録制御手段は、前記撮影動作検出手段により撮影動作が検出されたときの前記環境情報を記録する場合、前記計時手段により計時された時刻を示す時刻情報と共に前記環境情報を前記記録手段に記録することを特徴とする請求項１乃至５のいずれかに記載の環境情報取得装置。
【請求項７】
前記環境情報は、水深と水温の情報を含むことを特徴とする請求項１乃至６のいずれかに記載の環境情報取得装置。
【請求項８】
前記記録手段に記録された情報を外部に出力する情報出力手段を有することを特徴とする請求項１乃至７のいずれかに記載の環境情報取得装置。
【請求項９】
環境情報を取得する環境情報取得装置の制御方法において、
カメラの撮影動作を非接触で検出し、
前記カメラの撮影動作を検出すると、取得した前記環境情報を所定の記録手段に記録することを特徴とする環境情報取得装置の制御方法。
【発明の詳細な説明】
【技術分野】
【０００１】
本発明は、水深や水温等の環境情報を取得する環境情報取得装置及びその制御方法に関し、特に、カメラの撮影時における環境情報を取得して記録しておく環境情報取得装置及びその制御方法に関する。
【背景技術】
【０００２】
水中撮影用のデジタルカメラにおいては、圧力センサや温度センサを内蔵し、これらセンサの検出結果に基づいて撮影時の水深や水温を計測し、内部のメモリに記録しておくものが提案されている（例えば、特許文献１）。
また、従来の腕時計型情報処理装置には、各種センサを内蔵して水深や水温を計測するものがあり、中には、水深や水温を計測中に所定のスイッチが操作されると、その時点の水深や水温を記録しておくものがある。従って、ダイバーは、この時計型情報処理装置を携帯し、水中撮影直後に所定のスイッチを操作すれば、任意のカメラを用いても撮影時点近傍の水深や水温を記録に残すことができる。
【特許文献１】特開２００３−１４３４６０号公報
【発明の開示】
【発明が解決しようとする課題】
【０００３】
しかしながら、特許文献１記載のような水中カメラは、カメラ本体に防水対策や水圧対策等を綿密に施すために大型化し、かつ、重量があり、また、高価でもあるため、いわゆるアマチュアが気軽に使用できる製品ではない。一方、近年では、防水対策を施していない普通のカメラを水中撮影可能にする防水ケース（いわゆるハウジング）の普及に伴い、気軽に水中撮影を楽しむダイバーが増えている。このようなダイバーであっても、撮影時の水深や水温等の環境情報を記録に残したいと所望すると考えられる。この場合、上述した腕時計型情報処理装置等の環境情報取得装置を用いれば、撮影時点の水深や水温等の環境情報を記録に残すことができる。
【０００４】
しかしながら、従来の環境情報取得装置を使用する場合は、この装置とカメラの両方を水中で操作する必要があるため、操作が煩雑な問題がある。このため、水中の状況や魚等の撮影対象物の移動等によっては、撮影後すぐに環境情報取得装置の操作を行えない状況が発生し、そのタイムラグにより実際の撮影時点のものとは異なる水深や水温が記録されてしまう場合や、環境情報取得装置の操作（環境情報を記録に残すための操作）を忘れてしまうといった事態が発生しやすい。
【０００５】
本発明は、上述した事情に鑑みてなされたものであり、カメラで撮影する場合に、簡易に撮影時の環境情報を記録することができる環境情報取得装置及びその制御方法を提供することを目的としている。
【課題を解決するための手段】
【０００６】
上述課題を解決するため、本発明は、環境情報取得装置において、環境情報を取得する環境情報取得手段と、前記環境情報が記録される記録手段と、カメラの撮影動作を非接触で検出する撮影動作検出手段と、この撮影動作検出手段により撮影動作が検出されると、前記環境情報取得手段が取得した環境情報を前記記録手段に記録する記録制御手段とを備えることを特徴とする。この構成によれば、カメラの撮影動作を検出した時の環境情報を記録するので、撮影時の環境情報を記録することができる。
【０００７】
また、上記構成において、前記環境情報取得装置を前記カメラの防水ケースの外部に取り付けるための取付体を有することが好ましい。また、前記取付体が吸盤であることが好ましい。また、前記吸盤に前記カメラの撮影動作に起因するフラッシュ光を前記撮影動作検出手段に導くための導光路を設け、前記撮影動作検出手段が前記フラッシュ光を検出することが好ましい。また、前記記録制御手段は、前記環境情報取得手段が所定時間毎に取得した環境情報を前記記録手段の予め定めた第１の領域に記録し、前記撮影動作検出手段により撮影動作が検出された時の前記環境情報については、前記記録手段の前記第１の領域とは異なる予め定めた第２の領域に記録することが好ましい。
【０００８】
また、上記構成において、時刻を計時する計時手段を具備し、前記記録制御手段は、前記撮影動作検出手段により撮影動作が検出されたときの前記環境情報を記録する場合、前記計時手段により計時された時刻を示す時刻情報と共に前記環境情報を前記記録手段に記録してもよい。また、前記環境情報は、水深と水温の情報を含むことが好ましい。
【０００９】
また、本発明は、環境情報を取得する環境情報取得装置の制御方法において、カメラの撮影動作を非接触で検出し、前記カメラの撮影動作を検出すると、取得した前記環境情報を所定の記録手段に記録することを特徴とする。この方法によれば、カメラの撮影動作を検出した時の環境情報を記録するので、撮影時の環境情報を記録することができる。
【発明の効果】
【００１０】
本発明の環境情報取得装置は、カメラで撮影する場合に、ユーザに何ら操作を要求することなく撮影時点の環境情報を取得して記録するので、簡易に撮影時の環境情報を記録することができる。
【発明を実施するための最良の形態】
【００１１】
以下、図面を参照して本発明の実施形態を説明する。
本発明の実施形態に係る環境情報取得装置１は、一般に普及するデジタルカメラよりやや小型に形成され、デジタルカメラ等の防水ケース（いわゆるハウジング）等に取り付けられて水中で使用された際等に水深や水温（温度）等を測定する情報処理装置である。
【００１２】
図１は、環境情報取得装置１の正面図であり、図２は、環境情報取得装置１を裏側から見た斜視図である。この環境情報取得装置１は、略楕円の円盤形状に形成され、防水対策と水圧対策とが施された外装ケース２を備え、この外装ケース２の正面に、各種情報を表示する表示部１０や、各種操作を行うための操作部５が設けられる。本実施形態では、操作部５としてプッシュ式の操作子Ａ、Ｂを設けた場合を例に説明する。
【００１３】
外装ケース２には、２つの外部端子３０１、３０２が設けられ、外部端子３０１は水検出及び通信に用いる端子として機能し、外部端子３０２は水検出及び通信の際のＶＳＳ（ＧＮＤ）端子として機能する。なお、この図では、外部端子３０１及び３０２の両方が外部に露出するピンとなっているが、外部端子３０１だけを外部に露出させ、内部のＶＳＳ（ＧＮＤ）となる部材と接続した外装ケース２の金属部分をＶＳＳ（ＧＮＤ）端子として使用してもよい。外装ケース２の裏側には、後述する内蔵電池９０を交換するための電池蓋３が設けられる他、外部からの光を外装ケース２内に取り込むための光取込部４と、後述する吸盤６を脱着可能に固定する取付体固定部７とが設けられる。なお、図示は省略したが、外装ケース２にはバンドやストラップを取り付けるためのバンド取付部等が設けられている。
【００１４】
図３は、環境情報取得装置１をカメラ１００の防水ケース１１０に取り付けた状態を示す図であり、図４は、環境情報処理装置１の側断面図である。
吸盤６は、図３に示すように、この環境情報取得装置１をカメラ１００の防水ケース１１０の外部に取り付けるための取付体として機能する。この吸盤６は、光を透過するように透明素材等の光透過素材で形成され、環境情報取得装置１の取付体固定部７に取り付けると、その一端側が光取込部（撮影動作検出手段）４と揃う位置に位置決めされる。詳述すると、図４に示すように、光取込部４は、外装ケース２の開口を塞いで外部からの水の侵入を遮断するためのガラス４Ａと、このガラス４Ａの内側に配置された受光回路４Ｂとを備え、吸盤６は、取付体固定部７に取り付けたとき、吸盤６の外装ケース２側の面６Ａが、光取込部４のガラス４Ａと密着する位置に位置決めされるようになっている。
【００１５】
この吸盤６には、外装ケース２側の面６Ａと吸着面６Ｂとを貫通する貫通孔６Ｃが略中央に形成される。この貫通孔６Ｃは、吸盤６の吸着面６Ｂ側からの光を効率良く光取込部４に導くものであり、すなわち、導光路として機能するものである。これにより、吸盤６の貫通孔６Ｃに入射した外部からの光は、直接、光取込部４に入射し、或いは、貫通孔６Ｃの内壁面で反射されて光取込部４に入射する。従って、図３に示すように、この環境情報取得装置１を、一般に透明素材で形成される防水ケース１１０におけるカメラ１００のフラッシュ部１０１近傍に取り付けることで、フラッシュ部１０１からの光（フラッシュ光）を吸盤６を介して効率よく光取込部４に導くことができ、環境情報取得装置１側でフラッシュ光を検出することができる。これにより、この環境情報取得装置１は、防水ケース１１０内のカメラ１００の撮影動作（シャッターレリーズボタン１０２の押下操作等）を検出することができるようになっている。
【００１６】
次に、この環境情報取得装置１の機能や電気的構成を説明する。この環境情報取得装置１は、いわゆるダイブコンピュータと称せられるダイバーズ用の情報処理装置の機能を具備する。詳述すると、この環境情報取得装置１は、現在時刻等を表示するタイムモードＳＴ１と、潜水中の動作モードであり、潜水時間、水深、ダイバーの体内に蓄積される不活性ガス量の計測及び表示を行う共に、これら情報をログデータやプロファイルデータとして記録するダイブモードＳＴ２と、記録されたログデータ等の内容を表示するログモードＳＴ３と、撮影時の環境情報等を表示するメモリコールモードＳＴ４と、外部機器（ＰＣ等）とデータ通信を行う通信モード（ＰＣ転送モードともいう。）ＳＴ５と、時刻修正等を行う時刻修正モードＳＴ６とを具備している。
【００１７】
このように各動作モードに応じて様々な情報を表示するために、図１に示すように、表示部１０の表示領域は、大まかに第１の表示領域１１１〜第７の表示領域１１７に分けられている。詳述すると、最も広い表示領域１１１は、現在月日、動作モードを示す情報、現在水深、水深ランク、潜水月日（或いはログ番号）、予定水深等を表示する領域である。第２の表示領域１１２は、現在時刻、潜水時間、無減圧潜水可能時間、潜水開始時刻、潜水時間等を表示する領域である。第３の表示領域１１３は、最大水深、体内窒素排出時間、セーフティレベル、最大水深、平均水深等を表示する領域である。第４の表示領域１１４は、無減圧潜水可能時間、水面休止時間、温度、潜水終了時刻、最大水深時水温等を表示する領域である。
【００１８】
また、第５の表示領域１１５は、内蔵電池の残量を表示する領域１０４と、ダイバー（ユーザ）が位置する地点の高度をランク別に表示する領域１０３とを有する。第６の表示領域１１６は、ダイバーの体内に蓄積される不活性ガス量（例えば窒素量）を表示する領域である。また、第７の表示領域１１７は、水深及び水温の情報を記録したことを示す情報（「MEMO」等）を表示する領域である。なお、この図では省略しているが、これら情報以外にも、減圧潜水状態になった場合に不活性ガスが吸収傾向にあるのか、排出傾向にあるのかを示す情報や、浮上速度が高すぎる場合に表示する警告を示す情報（例えば「SLOW」）や、潜水中に減圧潜水を行わなければならない旨の警告を示す情報（例えば「DECO」）等を表示する表示領域が適宜設けられる。
【００１９】
図５は、環境情報取得装置１の電気的構成を示すブロック図である。環境情報取得装置１は、操作部５と、表示部１０と、計時部６８と、圧力計測部６１と、温度計測部６２と、制御部５０と、受光回路４Ｂと、外部メモリ７０と、報音装置３７と、振動発生装置３８とを備えている。表示部１０は、液晶表示パネル１１と、液晶表示パネル１１を駆動する液晶ドライバ１２とを有している。計時部６８は、時刻や潜水時間の計測を行う手段であり、所定周波数のクロック信号を出力する発振回路３１と、このクロック信号の分周を行う分周回路３２と、分周回路３２の出力信号に基づいて１秒単位での計時処理を行う時刻用カウンタ３３等を有している。
【００２０】
圧力計測部６１は、水圧や気圧等の圧力を計測する手段であり、圧力センサ３４と、圧力センサ３４の出力信号を増幅する増幅回路３５と、増幅回路３５の出力信号をアナログ／ディジタル変換するＡ／Ｄ変換回路３６とを有している。温度計測部６２は、水温や気温等の温度を計測する手段であり、温度センサ６３と、温度センサ６３の出力信号を増幅する増幅回路６４と、増幅回路６４の出力信号をアナログ／ディジタル変換するＡ／Ｄ変換回路６５とを有している。
【００２１】
制御部５０は、この環境情報取得装置１全体を制御する手段であり、ＣＰＵや集積回路からなる演算処理部５１と、ＣＰＵの制御下で液晶ドライバ１２や時刻用カウンタ３３の動作を制御する表示／計時制御回路５２と、ＣＰＵが読み出して実行する制御プログラムや各種データを格納したＲＯＭ５３と、各種データを一時的に格納するＲＡＭ５４とを備えている。この制御部５０は、ＣＰＵが各種プログラムを実行することにより、操作部５の操作を検出して各動作モードに応じた処理や、受光回路４Ｂが所定レベル以上の光を受光した場合に、水深や水温の環境情報を記録させる環境情報記録処理等を行う。
【００２２】
外部メモリ７０は、ログデータ、プロファイルデータ、及び、光を受光した場合の水深や水温等からなる環境情報等が記録される記録手段であり、半導体記録媒体、磁気記録媒体、光記録媒体等が適用される。また、報音装置３７は、制御部５０の制御下でアラーム音を報音する装置であり、振動発生装置３８は、制御部５０の制御下で環境情報取得装置１を振動させる装置である。これら報音装置３７及び振動発生装置３８は、ユーザに警告等を報知する報知手段として機能する。
【００２３】
また、図６は、受光回路４Ｂの一例を示す図である。集積回路（ＩＣ）８０は、内蔵電池９０によって駆動される。光スイッチ８１は、外部から所定レベル以上の光を受光すると端子Ｔ１と端子Ｔ２とが導通するスイッチであり、端子Ｔ１がアナログスイッチ８２を介して内蔵電池９０の正極側（ＶＤＤ端子）に接続され、端子Ｔ２が抵抗８３を介して内蔵電池９０の負極側（ＶＳＳ端子）に接続される。そして、集積回路８０は、ダイブモードＳＴ２の場合に、出力ポートＰ１からＨレベルの信号を出力することによってアナログスイッチ８２をオンにし、このときの入力ポートＰ２の入力信号レベルを検出することにより、光スイッチ８１がオンかオフかを検出する。なお、この図においては、この集積回路８０が、外部端子３０１と接続される入出力ポートＰ３を有すると共に、外部メモリ７０として、ＳＤＡ（Serial Data）端子とＣＬＫ端子とを有するＥＥＰＲＯＭが接続された場合を例示している。
【００２４】
次いで、環境情報取得装置１の動作を説明する。図７は、環境情報取得装置１の動作モード毎の表示画面を示す図である。制御部５０は、タイムモードＳＴ１の場合、計時部６８により計時された時刻情報を読み出して現在月日、現在時刻を表示部１０に表示させる。このタイムモードＳＴ１では、制御部５０は、操作子Ａが操作されるとメモリコールモードＳＴ４に移行し、操作子Ｂが操作されるとログモードＳＴ３に移行し、操作子Ａと操作子Ｂとが同時操作されると、時刻修正モードＳＴ６に移行する。また、タイムモードＳＴ１の場合、制御部５０は、外部端子３０１、３０２が海水等で導通し、外部端子３０１、３０２間の抵抗値が小さくなったときに水を検出したと判断し、ダイブモードＳＴ２に移行する。
【００２５】
一方、ダイブモードＳＴ２に移行すると、制御部５０は、所定時間間隔で圧力計測部６１により検出された圧力（水圧）の検出結果に基づき現在水深を計算し、また、計時部６８により水検出時からの経過時間である潜水時間を計測し、これらの情報からダイバーの体内窒素量を計算して表示部１０に表示させる。また、制御部５０は、所定時間間隔で温度計測部６２により温度（水温）を測定し、測定した水温は、操作子Ａが操作される間だけ表示部１０に表示させる。さらに、制御部５０は、このようにして取得した情報に基づき、ログデータ及びプロファイルデータを外部メモリ７０の予め定めた領域に記録する。ここで、図８は、外部メモリ７０の記録領域を示す図である。この外部メモリ７０は、０番地からＸ番地までの領域（以下、「第１の領域」という。）がログデータとプロファイルデータの記録領域に割り当てられている。すなわち、制御部５０は、ダイブモードＳＴ２に移行すると、新たなログデータ及びプロファイルデータを外部メモリ７０の０番地から順に（上記第１の領域の空き領域にアドレス順に）記録していくことで、潜水毎のログデータ及びプロファイルデータを順番に外部メモリ７０に記録し、Ｘ番地まで記述すると０番地から新たなログデータ等を上書き記録する。
【００２６】
なお、この図においては、ログデータとして、現在月日（２００３年１２月５日を示す「０３１２０５」））、ログナンバー（Ｎｏ２を示す「０２」）、潜水開始時刻（午前１０時０７分を示す「１００７」）、潜水終了時刻（午前１０時４５分を示す「１０４５」）、潜水時間（３８分を示す「００３８」）、最大水深（２６．０ｍを示す「０２６０」）、平均水深（１４．６ｍを示す「０１４６」）、最大水深時の水温（２３．０℃を示す「０２３０」）の情報を順に記述し、プロファイルデータとして、１分間隔毎の水深を示す情報（１．５ｍを示す「００１５」、２．０ｍを示す「００２０」…）を時系列順に記述した場合を例示している。
【００２７】
さらに、ダイブモードＳＴ２の場合、制御部５０は、受光回路４Ｂの検出結果に基づいて、時刻情報及び環境情報を外部メモリ７０に記録する環境情報取得処理を行う。詳述すると、制御部５０は、受光回路４Ｂの検出結果に基づいて、フラッシュ光に相当する予め定めた所定レベル以上の光を受光したことを検出したと判断すると、その時点の現在時刻と、水深及び水温とを取得して外部メモリ７０に記録すると共に、記録したことを示す情報（「ＭＥＭＯ」）を表示領域１１７に表示させる。この場合、図８に示すように、外部メモリ７０のＹ番地から最終番地までの領域（以下、「第２の領域」という。）が、時刻情報（現在時刻及び環境情報（水深及び水温）の記録領域に割り当てられており、制御部５０は、フラッシュ光に相当する光の受光を検出する毎に、その時点の時刻情報と環境情報とを外部メモリ７０の上記第２の領域に順番に記録していく。すなわち、この場合、制御部５０は、環境情報を外部メモリ７０に記録する記録制御手段として機能する。
【００２８】
なお、図６においては、最初の光検出時に、その時点の現在時刻である午前１０時９分を示す「１００９」、その時点の水深３、５ｍを示す「００３５」、その時点の水温２５．０℃を示す「０２５０」と、ダミーデータである「００００」とからなる４バイトのデータが記録され、２回目の光検出時に、その時点の現在時刻である午前１０時１２分を示す「１０１２」、その時点の水深１０、１ｍを示す「０１０１」、その時点の水温２４．０℃を示す「０２４０」と、ダミーデータ「００００」とからなる４バイトのデータを記録した場合を例示している。このように、この環境情報取得装置１は、カメラ１００のフラッシュ光を検出すると、その時点の時刻情報と環境情報とを記録していくことで、撮影時の環境情報を自動的に記録することができる。
【００２９】
一方、ログモードＳＴ３の場合、制御部５０は、外部メモリ７０に記録されたログデータを読み出してその内容を表示する。詳述すると、制御部５０は、ログモードＳＴ３に移行すると、外部メモリ７０の上記第１の領域にアクセスし、最後に記録された（最も新しい）ログデータを読み出し、ログデータ中の潜水月日、平均水深、潜水開始時刻、潜水終了時刻等の情報を表示する第１の画面ＳＴ３１と、ログデータ中のログナンバー、最大水深、潜水時間、最大水深時の水温等の情報を表示する第２の画面ＳＴ３２とを、例えば４秒周期で交互に表示する。このように、ログモードＳＴ３では、２画面を自動的に切り替えながら情報を表示するので、表示部１０の画面が小さくてもログデータ内の多くの情報を表示することができる。また、このログモードＳＴ３では、制御部５０は、操作子Ｂが操作される毎に、表示するログデータを一つ前に記録された古いログデータに切り替えてユーザが全てのログデータの内容を時系列順に確認できるようにする一方、操作子Ｂが３秒以上継続操作されると、タイムモードＳＴ１に移行する。
【００３０】
また、メモリコールモードＳＴ４の場合、制御部５０は、外部メモリ７０に記録されたプロファイルデータ、及び撮影時の環境情報を読み出してその内容を表示する。詳述すると、制御部５０は、メモリコールモードＳＴ４に移行すると、外部メモリ７０の上記第１の領域にアクセスし、最後に記録された（最も新しい）ログのプロファイルデータ（水深）の内容を呼び出し、水中の経過時間と共に表示する第１の画面ＳＴ４１を表示させる。プロファイルデータは経過時間に対応した水深データが自動で順に表示される。この場合、制御部５０は、操作子Ｂが操作されると、外部メモリ７０の上記第２の領域にアクセスし、上記第１の画面ＳＴ４１に代えて、環境情報（水深、水温）と共に時刻情報の内容を表示する第２の画面ＳＴ４２を表示させ、ユーザはいずれかの画面を選択することが可能である。また、このメモリコールモードＳＴ４では、制御部５０は、操作子Ａが操作される毎に、表示するログに対応したプロファイルデータや環境情報等を一つ前に記録された古いログに対応したプロファイルデータや環境情報に切り替え、ユーザがログに対応したプロファイルデータ、及び、撮影時の環境情報の内容を全て記録順で確認できるようにする。そして、制御部５０は、操作子Ａが３秒以上継続操作された場合は、タイムモードＳＴ１に移行する一方、操作子Ａと操作子Ｂとが同時操作された場合は、通信モードＳＴ５に移行する。
【００３１】
通信モードＳＴ５の場合、制御部５０は、表示部１０に通信モードであることを示す情報（例えば「ＰＣ」）を表示すると共に、外部端子３０１及び外部端子３０２を介して、この外部端子３０１及び外部端子３０２に通信ケーブル等を介して接続された外部通信機器（ＰＣ等）との間で半二重等のシリアル通信を行う。これにより、この環境情報取得装置１は、外部メモリ７０に記録された各種データを外部通信機器に送信することができる。すなわち、この場合、環境情報取得装置１は、環境情報等を外部に出力する情報出力手段として機能する。この通信モードＳＴ５では、操作子Ａと操作子Ｂとが同時操作されると、制御部５０は、メモリコールモードＳＴ４に移行する。
【００３２】
時刻修正モードＳＴ６の場合、制御部５０は、現在月日、現在時刻、西暦を表示部１０に表示させ、これら情報の変更を受け付ける。例えば、制御部５０は、操作子Ａが操作される毎に、変更対象の情報を、現在月日→現在時刻→西暦→現在月日→…の順で順次切り替える一方、操作子Ｂが操作される毎に、変更対象の情報を、所定単位（月、日、時、分、年）で変更する。この時刻修正モードＳＴ６では、操作子Ａと操作子Ｂとが同時操作されると、制御部５０は、タイムモードＳＴ１に移行する。
【００３３】
また、制御部５０は、タイムモードＳＴ１の場合に加えて、ログモードＳＴ３及びメモリコールモードＳＴ４の場合にも、外部端子３０１、３０２が海水等で導通し、外部端子３０１、３０２間の抵抗値が小さくなったか否かを判断し、抵抗値が小さくなったときに水を検出したと判断して、ダイブモードＳＴ２に移行する。また、制御部５０は、このように水を検出したときには自動的に機能チェックを行い、圧力センサ３４や温度センサ６３等に異常が検出されればその旨を報音装置３７からアラーム音等で報知する。
【００３４】
以上説明したように、本実施形態の環境情報取得装置１は、カメラ１００のフラッシュ光を検出する毎に、その時点の時刻情報と環境情報とを外部メモリ７０に記録するので、ユーザに何ら操作を要求することなく、撮影時の環境情報を自動的に記録することができる。これにより、この外部メモリ７０に記録された環境情報を表示させたり、外部通信機器に送信することで、ユーザは撮影時の環境情報を確認することができる。この場合、その環境情報と対応づけて記録された時刻情報を参照したり、その環境情報の記録順が撮影順に対応していることを基準にして、目的の撮影時の環境情報を簡易に特定することができる。
【００３５】
また、この環境情報取得装置１は、吸盤６を用いてカメラ１００の防水ケース１１０に取り付けるので、着脱が容易であり、また、防水ケース１１０側に特別な取付具や形状等を必要としないので、任意のカメラ１００の防水ケース１１０に取り付けることができる。このため、ユーザは、防水ケース１１０を使って普段使用する普通のカメラで水中撮影を行う場合でも、手軽に撮影時の環境情報を記録することができる。
【００３６】
また、この環境情報取得装置１は、撮影時の環境情報等を記録する領域と、ログデータやプロファイルデータを記録する領域とを予め異なる領域に分けているので、ログモードＳＴ３、メモリコールモードＳＴ４及び通信モードＳＴ５において、ログデータ、プロファイルデータ又は環境情報を呼び出す際は所定領域のアドレスを連続して呼び出せばよく、呼び出す際の判断処理等を低減することができる。これにより、表示又は転送の高速化と消費電力の低減を図ることができる。
【００３７】
（変形例）
上述した実施形態は、あくまで本発明の一態様に過ぎず、本発明の範囲内で任意に変形が可能である。例えば、上述した実施形態では、カメラ１００のフラッシュ光を検出することによって、カメラ１００の撮影動作を検出する場合について述べたが、カメラ１００のシャッター音等の他の撮影動作に起因する信号を検出して撮影動作を検出するようにしてもよい。また、上述した実施形態では、この環境情報取得装置１を吸盤６によってカメラ１００の防水ケース１１０に取り付ける場合について述べたが、吸盤以外の取付体を用いて防水ケース１１０に取り付けてもよい。
【００３８】
また、上述した実施形態では、撮影時の環境情報を時刻情報と共に記録する場合について述べたが、撮影時の環境情報だけを記録するようにしてもよい。この場合、環境情報を記録順で記録しておくことで、どの撮影時の環境情報かを特定することができる。また、上述した実施形態では、この環境情報取得装置１が、環境情報として、水深及び水温を取得する場合について述べたが、撮影時の環境に関する情報であれば、水深及び水温の情報に限らない。また、この環境情報取得装置１がダイブコンピュータの機能（不活性ガス量の計測機能等）を具備する場合について述べたが、要は、水深や水温等の環境情報を取得する機能があればよく、それ以外の機能は省略してもよい。
【図面の簡単な説明】
【００３９】
【図１】本発明の実施形態に係る環境情報取得装置の正面図である。
【図２】環境情報取得装置を裏側から見た斜視図である。
【図３】環境情報取得装置をカメラの防水ケースに取り付けた状態を示す図である。
【図４】環境情報処理装置の側断面図である。
【図５】環境情報取得装置の電気的構成を示すブロック図である。
【図６】環境情報取得装置の受光回路の一例を示す図である。
【図７】環境情報取得装置の動作モード毎の表示画面を示す図である。
【図８】環境情報取得装置の外部メモリの記録領域を示す図である。
【符号の説明】
【００４０】
１…環境情報取得装置、２…外装ケース、４…光取込部、５…操作部、６…吸盤、１０…表示部、５０…制御部、６１…圧力計測部、６２…温度計測部、６８…計時部、７０…外部メモリ、１００…カメラ、１１０…防水ケース、３０１、３０２…外部端子。
【図１】
2005062536.tif 000003
【図２】
2005062536.tif 000004
【図３】
2005062536.tif 000005
【図４】
2005062536.tif 000006
【図５】
2005062536.tif 000007
【図６】
2005062536.tif 000008
【図７】
2005062536.tif 000009
【図８】
2005062536.tif 000010